(57)【要約】筆記スペースを確保するための手間が大きいという問題を解決することが可能なプロジェクタを提供することである。投写部（２）は、入力映像信号に応じた映像をスクリーン（２００）に投写する。操作部（４）は、スクリーン（２００）上に投写されている投写映像の投写エリアを調整する旨の調整指示を受け付ける。撮像部（３）は、操作部（４）が調整指示を受け付けると、投写エリアを撮像して画像データを生成する。制御部（５）は、画像データが表す画像内に、所定のマークが存在するかを確認し、マークが存在する場合にはその位置を特定し、その特定したマークの位置に応じて投写エリア内の所定の領域を定め、投写部２に所定の領域にのみ前記映像を投写させる。
2011121729.tif 000002
【特許請求の範囲】
【請求項１】
入力映像信号に応じた映像をスクリーンに投写する投写部と、
前記スクリーン上に投写されている投写映像の投写エリアを調整する旨の調整指示を受け付ける操作部と、
前記操作部が前記調整指示を受け付けると、前記投写エリアを撮像して画像データを生成する撮像部と、
前記画像データが表す画像内に、所定のマークが存在するかを確認し、前記マークが存在する場合にはその位置を特定し、該特定したマークの位置に応じて前記投写エリア内の所定の領域を定め、前記投写部に前記所定の領域にのみ前記映像を投写させる制御部と、を含むプロジェクタ。
【請求項２】
請求項１に記載のプロジェクタにおいて、
前記制御部は、前記入力映像信号に対して、当該入力映像信号のうち前記調整エリア以外に対応する部分をマスキングするマスキング処理を行い、該マスキング処理を行った入力映像信号を前記投写部に入力して、前記投写部に、前記所定の領域にのみ前記映像を投写する、プロジェクタ。
【請求項３】
請求項１または２に記載のプロジェクタにおいて、
前記投写部は、前記操作部が前記調整指示を受け付けると、一様な明るさのテスト画像を前記投写エリアに投写し、
前記撮像部は、前記投写部にて前記テスト画像が投写されると、前記投写エリアを撮像し、
前記制御部は、前記画像データを２値化し、該２値化した画像データを用いて、前記所定のマークが存在するかを確認する、プロジェクタ。
【請求項４】
請求項３に記載のプロジェクタにおいて、
前記操作部は、前記投写エリアを撮像する旨の撮像指示を受け付け、
前記撮像部は、前記投写部にて前記テスト画像が投写された後に前記撮像指示を受け付けると、前記投写エリアを撮像する、プロジェクタ。
【請求項５】
入力映像信号に応じた映像をスクリーンに投写するプロジェクタによる投写方法であって、
前記スクリーン上に投写されている投写映像の投写エリアを調整する旨の調整指示を受け付け、
前記調整指示が受け付けられると、前記投写エリアを撮像して画像データを生成し、
前記画像データが表す画像内に、所定のマークが存在するかを確認し、前記マークが存在する場合にはその位置を特定し、
前記特定したマークの位置に応じて前記投写エリア内の所定の領域を定め、
前記所定の領域にのみ前記映像を投写する、投写方法。
【発明の詳細な説明】
【技術分野】
【０００１】
本発明は、プロジェクタおよび投写方法に関する。
【背景技術】
【０００２】
プレゼンテーションなどでは、ユーザは、プロジェクタを用いて、映像をホワイトボードなどの筆記可能なスクリーンに投写し、その投写映像を参照しながらスクリーンに文章などを筆記して説明を行うことがある。この場合、文章が映像と重なり合うと見づらくなるため、通常、ユーザは、映像が投写されていない筆記スペースに文章などを筆記する。このとき、筆記スペースに十分な大きさがないと、ユーザは、投写エリアをずらして筆記スペースを確保するために、プロジェクタを動かす必要があり、ユーザの負担が大きかった。【０００３】
これに対して、特許文献１には、投写領域を指定することのできるプロジェクタが記載されている。【０００４】
特許文献１に記載のプロジェクタは、ユーザがスクリーンの四箇所に付けたマークを読み取り、それらのマークを四隅とする四角形内に映像を投写する。このため、ユーザは、スクリーンの四箇所にマークを付けることで、筆記スペースを確保することが可能になるので、プロジェクタを動かさなくても筆記スペースを確保することが可能になる。
【先行技術文献】
【特許文献】
【０００５】
【特許文献１】特開２００５−１３６６９９号公報
【発明の概要】
【発明が解決しようとする課題】
【０００６】
特許文献１に記載のプロジェクタでは、ユーザは、筆記スペースを確保するために、スクリーン上にマークを四箇所も付けなければならず、ユーザの手間が多いという問題がある。【０００７】
本発明の目的は、上記の課題である、筆記スペースを確保するための手間が多いという問題を解決することが可能なプロジェクタおよび投写方法を提供することである。
【課題を解決するための手段】
【０００８】
本発明によるプロジェクタは、入力映像信号に応じた映像をスクリーンに投写する投写部と、前記スクリーン上に投写されている投写映像の投写エリアを調整する旨の調整指示を受け付ける操作部と、前記操作部が前記調整指示を受け付けると、前記投写エリアを撮像して画像データを生成する撮像部と、前記画像データが表す画像内に、所定のマークが存在するかを確認し、前記所定のマークが存在する場合にはその位置を特定し、該特定したマークの位置に応じて前記投写エリア内の所定の領域を定め、前記投写部に前記所定の領域にのみ前記映像を投写させる制御部と、を含む。【０００９】
本発明による投写方法は、入力映像信号に応じた映像をスクリーンに投写するプロジェクタによる投写方法であって、前記スクリーン上に投写されている投写映像の投写エリアを調整する旨の調整指示を受け付け、前記調整指示が受け付けられると、前記投写エリアを撮像して画像データを生成し、前記画像データが表す画像内に、所定のマークが存在するかを確認し、前記所定のマークが存在する場合にはその位置を特定し、前記特定したマークの位置に応じて前記投写エリア内の所定の領域を定め、前記所定の領域にのみ前記映像を投写する。
【発明の効果】
【００１０】
本発明によれば、筆記スペースを確保するための手間を軽減することが可能になる。
【図面の簡単な説明】
【００１１】
【図１】本発明の第一の実施形態のプロジェクタの構成を示すブロック図である。
【図２】プロジェクタの動作の一例を説明するためのフローチャートである。
【図３】投写映像の一例を示した図である。
【図４】テストパターン画面の一例を示した図である。
【図５】第一メッセージの一例を示した図である。
【図６】第二メッセージの一例を示した図である。
【図７】画像データ内のユーザ指定エリアの一例を示した図である。
【図８】表示デバイス上のユーザ指定エリアの一例を示した図である。
【図９】マスキングエリアの一例を示した図である。
【図１０】投写エリアの調整後の投写映像の一例を示した図である。
【図１１】投写エリアの調整後の投写映像の他の例を示した図である。
【発明を実施するための形態】
【００１２】
以下、本発明の実施形態について図面を参照して説明する。
【００１３】
図１は、本発明の第一の実施形態のプロジェクタの構成を示すブロック図である。図１において、プロジェクタ１００は、映像信号入力部１と、投写部２と、撮像部３と、本体キー４と、制御部５とを含む。
【００１４】
映像信号入力部１には、映像信号が入力される。映像信号入力部１は、その入力映像信号を制御部５に出力する。
【００１５】
投写部２には、制御部５から、入力映像信号またはテストパターン信号が投写映像信号として入力される。なお、入力映像信号またはテストパターン信号には、種々の設定画像であるＯＳＤ画像を示すＯＳＤ信号が合成されていてもよい。
【００１６】
テストパターン信号は、投写エリアを調整するためにスクリーン２００に付けられたマークの位置を読み取るためのテストパターン画像を示す。テストパターン画像は、例えば、一様な明るさの画像であり、全てが白い全白色のテストパターン画像であることが望ましい。
【００１７】
投写部２は、ランプ２１と、表示デバイス２２と、プリズム２３と、レンズ２４とを含む。
【００１８】
ランプ２１は、光を表示デバイス２２に照射する光源である。
【００１９】
表示デバイス２２は、例えば、液晶パネルである。なお、表示デバイス２２は、液晶パネルに限らず適宜変更可能である。
【００２０】
表示デバイス２２には、制御部５から投写映像信号が入力される。表示デバイス２２は、ランプ２１から照射された光を、投写画像信号に応じて変調して、プリズム２３およびレンズ２４を介してスクリーン２００に投写することで、投写画像信号に応じた映像をスクリーン２００に投写する。
【００２１】
撮像部３は、制御部５から駆動信号が入力されると、スクリーン２００上における映像の投写エリアを撮像して、その投写エリアを画像として表す画像データを生成する。
【００２２】
撮像部３は、イメージセンサ３１と、画像取り込み部３２とを含み、各部が以下の機能を有する。
【００２３】
イメージセンサ３１は、制御部５から駆動信号が入力されると、スクリーン２００上における映像の投写エリアを撮像する。なお、イメージセンサ３１の撮像エリアである２次元検出エリアと映像の投写エリアとが一致するように、イメージセンサ３１は予めキャリブレーションされているものとする。本実施形態では、投写部２から投写された光に対応するスクリーン２００からの反射光がレンズ２４を通り、プリズム２３にて反射してイメージセンサ３１に入射されるようにキャリブレーションされている。なお、プリズムは、反射光を全反射できるように設置されることが望ましい。
【００２４】
画像取り込み部３２は、イメージセンサ３１で撮像された撮像データを画像データとして取り込む。
【００２５】
本体キー４は、プロジェクタ１００のユーザにて操作され、そのユーザから種々の情報を受け付ける操作部である。例えば、本体キー４は、ユーザから、スクリーン２００上における投写エリアを調整する旨の調整指示と、調整後の投写エリアであるユーザ指定エリアを指定する指定情報と、スクリーン２００上における投写エリアを撮像する旨の撮像指示と、を受け付ける。
【００２６】
制御部５は、撮像部３にて生成された画像データが表す画像内に、所定のマークが存在するか否かを確認する。所定のマークが存在する場合には、制御部５は、その所定のマークの位置を特定し、その特定したマークの位置に応じて投写エリア内の所定の領域であるユーザ指定エリアを定める。そして、制御部５は、投写部２に、そのユーザ指定エリアにのみ、入力映像信号に応じた映像を投写させる。
【００２７】
なお、所定のマークとは、投写エリアを調整するためにスクリーン２００に付けられたマークであり、ユーザにてスクリーン２００上の投写エリア内のある箇所に付けられる。例えば、ユーザは、所定の色のマーカーペンでホワイトボード３０２に所定の形状（点や線など）のマークを付けたり、所定の色のボタン型のマグネットをホワイトボードに付けたりして、ホワイトボード３０２上の一箇所に所定のマークを付ける。
【００２８】
制御部５は、画像変形回路５１と、テストパターン生成部５２と、ＯＳＤ生成部５３と、画像合成切替部５４と、ＣＰＵ５５とを含む。
【００２９】
画像変形回路５１は、映像信号入力部１から入力映像信号を受け付け、その入力映像信号に対して歪み補正処理などの種々の画像処理を行い、その画像処理を行った入力映像信号を画像合成切替部５４に入力する。
【００３０】
また、画像変形回路５１は、ＣＰＵ５５から、入力映像信号に対してマスキング処理を行う旨のマスキング指示が入力されると、入力映像信号に対してマスキング処理を行う。マスキング処理は、入力映像信号の一部分を黒い映像を表す信号に変換する画像処理である。黒い映像を表す信号に変換される入力映像信号の位置は、マスキング指示にて指定される、投写エリアに含まれるユーザ指定エリア以外のエリアに対応する。
【００３１】
テストパターン生成部５２は、テストパターン信号を生成し、そのテストパターン信号を画像合成切替部５４に入力する。
【００３２】
ＯＳＤ生成部５３は、ＯＳＤ信号を生成し、そのＯＳＤ信号を画像合成切替部５４に入力する。
【００３３】
画像合成切替部５４には、画像変形回路５１から入力映像信号が入力され、テストパターン生成部５２からテストパターン信号が入力され、ＯＳＤ生成部５３からＯＳＤ信号が入力される。
【００３４】
また、画像合成切替部５４には、ＣＰＵ５５から、投写部２に入力する信号を選択する選択信号が入力される。画像合成切替部５４は、その入力された選択信号に応じて、入力映像信号またはテストパターン信号を投写映像信号として投写部２に入力する。このとき、画像合成切替部５４は、適宜、映像信号またはテストパターン信号に対してＯＳＤ信号を合成し、そのＯＳＤ信号を合成した映像信号またはテストパターン信号を投写映像信号として投写部２に入力してもよい。
【００３５】
ＣＰＵ５５は、本体キー４に入力された種々の情報に応じて、プロジェクタ１００全体を制御する。
【００３６】
より具体的には、先ず、本体キー４が調整指示を受け付けると、ＣＰＵ５５は、テストパターン生成部５２に動作指示を入力して、テストパターン生成部５２にテストパターン信号を生成させるとともに、画像合成切替部５４にテストパターン信号を選択する選択信号を入力する。
【００３７】
その後、本体キー４が指定情報および撮像指示を受け付けると、ＣＰＵ５５は、駆動信号を撮像部３に入力する。
【００３８】
ＣＰＵ５５は、撮像部３にて生成された画像データが表す画像内にマークが存在するか否かを確認し、マークが存在する場合には、マークの位置を特定する。例えば、ＣＰＵ５５は、判別分析法などを用いて画像データを２値化し、その２値化した画像データ内の明るさが他と異なる箇所をマークと判断し、そのマークの位置を読み取る。
【００３９】
ＣＰＵ５５は、マークの位置に基づいて、画像データが示す画像を複数のエリアに分割する。
【００４０】
本実施形態では、ＣＰＵ５５は、画像を、マークの位置の左側および右側の二つのエリアに分割するものとする。なお、投写エリアの分割方法は上記の例に限らず適宜変更可能である。例えば、ＣＰＵ５５は、投写エリアをマークの位置の上側および下側の二つのエリアに分割してもよし、投写エリアをマークの位置の右上、右下、左上および左下の４つのエリアに分割してもよい。
【００４１】
ＣＰＵ５５は、マークの位置と本体キー４が受け付けた指定情報とに基づいて、その分割されたエリアのいずれかを、ユーザ指定エリアとして定める。ＣＰＵ５５は、ユーザ指定エリア以外のエリアをマスキングエリアとして示すマスキング指示を画像変形回路５１に入力するとともに、入力映像信号を選択する選択信号を画像合成切替部５４に入力する。
【００４２】
これにより、投写部２は、ＣＰＵ５５にて定められたユーザ指定エリアのみに、入力映像信号のうち、そのユーザ指定エリアに対応する部分映像信号に応じた映像のみを投写することになる。
【００４３】
次にプロジェクタ１００の動作を説明する。
【００４４】
図２は、プロジェクタ１００の動作の一例を説明するためのフローチャートである。
【００４５】
プロジェクタ１００は、図３に示すように、入力映像信号に応じた映像３０１を、スクリーン２００の一例であるホワイトボード３０２に投写しているものとする。
【００４６】
このとき、ＣＰＵ５５は、入力映像信号を選択する選択信号を画像合成切替部５４に入力している。これにより、画像合成切替部５４が入力映像信号を投写映像信号として投写部２の表示デバイス２２に入力することになり、表示デバイス２２が、ランプからの光を投写映像信号に応じて変調して、映像３０１をホワイトボード３０２に投写することになる。
【００４７】
図３で示したようにホワイトボード３０２に映像３０１が投写されているときに、ユーザは、ホワイトボード３０２に筆記したくなった場合、ステップＳ１を実行する。
【００４８】
ステップＳ１では、ユーザは本体キー４を用いて調整指示を入力する。その後、ＣＰＵ５５がステップＳ２を実行する。
【００４９】
ステップＳ２では、ＣＰＵ５５は、本体キー４が調整指示を受け付けたことを検出し、テストパターン生成部５２に動作指示を入力するとともに、画像合成切替部５４にテストパターン信号を選択する選択信号を入力する。
【００５０】
テストパターン生成部５２は、動作指示が入力されると、全白色のテストパターン信号を生成して画像合成切替部５４に入力する。また、画像合成切替部５４は、上記の選択信号が入力されると、表示デバイス２２に対する入力映像信号の入力を止めて、テストパターン生成部５２から入力されたテストパターン信号を投写映像信号として表示デバイス２２に入力する。これにより、図４で示すような、全白色のテストパターン画面がホワイトボード３０２に表示されることになり、投写エリア３０３内が全白色になる。
【００５１】
ＣＰＵ５５は、ステップＳ２を終了すると、ステップＳ３を実行する。
【００５２】
ステップＳ３では、ＣＰＵ５５は、投写エリアを指定する旨のメッセージを表す第一ＯＳＤ信号の生成指示である第一生成指示をＯＳＤ生成部５３に入力する。
【００５３】
ＯＳＤ生成部５３は、第一生成指示が入力されると、第一ＯＳＤ信号を生成し、その第一ＯＳＤ信号を画像合成切替部５４に入力する。また、画像合成切替部５４は、第一ＯＳＤ信号が入力されると、テストパターン信号に第一ＯＳＤ信号を合成し、その第一ＯＳＤ信号が合成されたテストパターン信号を投写映像信号として表示デバイス２２に入力する。これにより、投写部２は、第一メッセージをホワイトボード３０２に表示することになる。
【００５４】
図５は、第一メッセージの一例を示した図である。図５では、第一メッセージとして、マークの位置を調整後の投写エリアの左端とする「左端」と、マークの位置を調整後の投写エリアの右端とする「右端」とを選択する旨のメッセージが表示されている。
【００５５】
その後、ステップＳ４が実行される。
【００５６】
ステップＳ４では、ユーザは本体キー４を用いて指定情報を入力する。以下では、ユーザは、「左端」を選択したものとする。なお、この場合、指定情報が指定するユーザ指定エリアは、マークの位置の右側のエリアになる。
【００５７】
本体キー４が指定情報を受け付けると、ＣＰＵ５５は、本体キー４が指定情報を受け付けたことを検出し、スクリーン２００にマークを付ける旨のメッセージを表す第二ＯＳＤ信号の生成指示である第二生成指示をＯＳＤ生成部５３に入力する。
【００５８】
ＯＳＤ生成部５３は、第二生成指示が入力されると、第二ＯＳＤ信号を生成し、その第二ＯＳＤ信号を画像合成切替部５４に入力する。また、画像合成切替部５４は、第二ＯＳＤ信号が入力されると、テストパターン信号に第二ＯＳＤ信号を合成し、その第二ＯＳＤ信号が合成されたテストパターン信号を投写映像信号として表示デバイス２２に入力する。これにより、投写部２は、図６で示したような第二メッセージをホワイトボード３０２に表示することになる。その後、ステップＳ５が実行される。
【００５９】
ステップＳ５では、ユーザは、ホワイトボード３０２上の一箇所に所定のマークを付ける。例えば、ユーザは、マーカーペンでホワイトボード３０２に点や線を付けたり、ボタン型のマグネットをホワイトボードに付けたりして、ホワイトボード３０２上の一箇所にマークを付ける。
【００６０】
そして、ユーザは、本体キー４を用いて撮像指示を入力する。その後、ステップＳ６が実行される。
【００６１】
ステップＳ６では、ＣＰＵ５５は、本体キー４が撮像指示を受け付けたことを検出し、ＯＳＤ生成部５３に対する第二生成信号の入力を停止して、ＯＳＤ生成部５３に第二ＯＳＤ信号の生成を停止させる。これにより、画像合成切替部５４は、ＯＳＤ信号が合成されていないテストパターン信号を投写映像信号として表示デバイス２２に入力する。これにより、投写部２は、図４で示したような全白色のテストパターン画像をホワイトボード３０２上の投写エリア３０３に表示することになる。
【００６２】
その後、ＣＰＵ５５は、イメージセンサ３１に駆動信号を入力する。イメージセンサ３１は、駆動信号が入力されると、スクリーン２００上における映像の投写エリアを撮像する。その後、ステップＳ７が実行される。
【００６３】
ステップＳ７では、イメージセンサ３１は、その撮像した撮像データを画像取り込み部３２に出力する。画像取り込み部３２は、イメージセンサ３１から出力された撮像データを画像データとして取り込み、その取り込んだ画像データをＣＰＵ５５に出力する。
【００６４】
ＣＰＵ５５は、画像データを受け付けると、その画像データを、判別分析法を用いて２値化する。その後、ステップＳ８が実行される。
【００６５】
ステップＳ８では、ＣＰＵ５５は、２値化した画像データをスキャンして、画像データが示す画像におけるマークの位置を特定する。そして、ＣＰＵ５５は、図７で示したように、その検出したマークの位置を左端とするエリアを画像上のユーザ指定エリアＵとして定める。その後、ステップＳ９が実行される。
【００６６】
ステップＳ９では、ＣＰＵ５５は、画像データが示す画像のサイズと、表示デバイス２２の解像度とに基づいて、図８で示したように、ユーザ指定エリアＵに対応する、表示デバイス２２上のユーザ指定エリアＶを求める。その後、ステップＳ１０が実行される。
【００６７】
ステップＳ１０では、ＣＰＵ５５は、ユーザ指定エリアＶ以外のエリアを、表示デバイス２２上のマスキングエリアＭとし、そのマスキングエリアＭを示すマスキング指示を画像変形回路５１に入力するとともに、入力映像信号を選択する選択信号を画像合成切替部５４に入力する。
【００６８】
画像変形回路５１は、マスキング指示が示すマスキングエリアＭに対応する、入力映像信号の位置を特定し、その位置の入力映像信号を黒い映像を表す信号に変換するマスキング処理を行う。画像変形回路５１は、マスキング処理を行った入力映像信号を画像合成切替部５４に入力する。
【００６９】
画像合成切替部５４は、画像変形回路５１から入力された入力映像信号を投写映像信号として表示デバイス２２に入力する。これにより、表示デバイス２２上には、図９で示したように、マスキングエリアＭが黒い映像が形成される。このため、投写部２は、図１０で示したように、元の投写エリア３０３のうち、ユーザが付けたマークの位置を左端とするユーザ指定エリア以外のエリアを視覚的にマスキングして映像を投写することになり、ユーザ指定エリアのみに、入力映像信号に応じた映像を投写することになる。また、投写部２は、入力映像信号のうち、ユーザ指定エリアに対応する部分映像信号に応じた映像のみを投写することになる。
【００７０】
以上説明したように、本実施形態によれば、本体キー４は、スクリーン２００上の投写エリアを調整する旨の調整指示を受け付ける。撮像部３は、本体キー４が調整指示を受け付けると、スクリーン２００上の投写エリアを撮像して画像データを生成する。制御部５は、その画像データ内に所定のマークが存在するか否かを確認する。その所定のマークが存在する場合には、制御部５は、そのマークの位置を特定し、そのマークの位置に応じて投写エリア内のユーザ指定エリアを定める。そして、制御部５は、そのユーザ指定エリアにのみ、入力映像信号に応じた映像を投写する。
【００７１】
この場合、画像データ内の所定のマークが存在する場合、そのマークの位置に応じて定められた投写エリア内のユーザ指定エリアにのみ、入力映像信号に応じた映像が投写される。このため、ユーザは、スクリーン２００にマークを一箇所に付けるだけで筆記スペースを確保することが可能になるので、筆記スペースを確保するために手間を軽減することが可能になる。
【００７２】
また、本実施形態では、制御部５は、入力映像信号に対して、その入力映像信号のうち調整エリア以外に対応する部分映像信号をマスキングするマスキング処理を行う。
【００７３】
この場合、映像の解像度を調整せずに、元の投写エリアの一部分を筆記スペースとして確保することが可能になる。
【００７４】
また、本実施形態では、投写部２は、本体キー４が調整指示を受け付けると、一様な明るさのテスト画像を投写する。撮像部３は、投写部２にてテスト画像が投写されると、投写エリアを撮像する。制御部５は、撮像部３が生成した画像データを２値化し、その２値化した画像データからマークの位置を読み取る。
【００７５】
この場合、マークの位置をより正確に読み取ることが可能になる。
【００７６】
また、本実施形態では、本体キー４は、投写エリアを撮像する旨の撮像指示を受け付ける。撮像部３は、投写部２にてテスト画像が投写された後に、本体キー４が撮像指示を受け付けると、投写エリアを撮像する。
【００７７】
この場合、投写エリアが撮像されるタイミングをユーザが調整できるので、投写エリアが撮像されるタイミングに、プロジェクタ１００およびスクリーン２００間に障害物が入り込むことを軽減することが可能になる。
【００７８】
また、本実施形態では、レンズ２４がプロジェクタ１００の投写用のレンズとイメージセンサ３１の撮像用のレンズとを共用しているので、画像取り込み部３２で取り込んだ画像データが示す画像とユーザが付けたマークの位置関係の調整が不要となる。
【００７９】
次に、本発明の第二の実施形態について説明する。
【００８０】
本実施形態では、ＣＰＵ５５がユーザ指定エリアを求めると、画像変形回路５１は、入力映像信号に応じた映像がユーザ指定エリア内に収まるように、入力映像信号に対して変形処理を行う。投写部２は、その変形処理を行った入力映像信号に応じた映像をスクリーン２００に投写する。
【００８１】
具体的には、ＣＰＵ５５は、表示デバイス２２上のユーザ指定エリアＶを求めると、そのユーザ指定エリアＶを示す画像変形指示を画像変形回路５１に入力するとともに、入力映像信号を選択する選択信号を画像合成切替部５４に入力する。
【００８２】
画像変形回路５１は、入力映像信号に応じた映像が縮小されてユーザ指定エリアＶに収まるように、入力映像信号に対して画像変形処理を行う。このとき、画像変形回路５１は、入力映像信号に応じた映像の縦横比が変化しないように、入力映像信号に対して画像変形処理を行うことが望ましい。
【００８３】
画像変形回路５１は、画像変形処理を行った入力映像信号を画像合成切替部５４に入力する。画像合成切替部５４は、画像変形回路５１から入力された入力映像信号を投写映像信号として表示デバイス２２に入力する。これにより、投写部２は、図１２で示したように、入力映像信号に応じた映像全体をユーザ指定エリア内に投写することになる。
【００８４】
本実施形態でも、第一の実施形態と同様に、ユーザは、スクリーン２００にマークを一箇所に付けるだけで筆記スペースを確保することが可能になるので、筆記スペースを確保するために手間を軽減することが可能になる。また、本実施形態では、入力映像信号に応じた映像全体を投写しつつ筆記スペースを確保することができるので、ユーザは映像全体を参照しながらスクリーンに文章などを筆記して説明を行うことが可能になる。
【００８５】
以上説明した各実施形態において、図示した構成は単なる一例であって、本発明はその構成に限定されるものではない。
【図１】
2011121729.tif 000003
【図２】
2011121729.tif 000004
【図３】
2011121729.tif 000005
【図４】
2011121729.tif 000006
【図５】
2011121729.tif 000007
【図６】
2011121729.tif 000008
【図７】
2011121729.tif 000009
【図８】
2011121729.tif 000010
【図９】
2011121729.tif 000011
【図１０】
2011121729.tif 000012
【図１１】
2011121729.tif 000013
【国際調査報告】
2011121729.tif 000014
2011121729.tif 000015